(57)【特許請求の範囲】
【請求項１】
情報管理装置と、該情報管理装置と通信可能に接続された複数の管理装置と、を有する情報管理システムであって、
前記複数の管理装置は、
自装置に通信可能に接続された、１または複数の空調機器を含む機器グループ毎に、その機器グループに含まれる空調機器の運転情報を取得する運転情報取得部と、
前記運転情報取得部により取得された、前記機器グループ毎の運転情報を前記情報管理装置に送信する運転情報送信部と、
前記情報管理装置から送信された、前記機器グループ毎の運用情報を受信する運用情報受信部と、
前記運用情報受信部により受信された前記機器グループ毎の運用情報を記憶する記憶部と、を備え、
前記情報管理装置は、
前記複数の管理装置から、前記機器グループ毎の運転情報を受信する運転情報受信部と、
前記機器グループ毎に、前記運転情報受信部により受信された運転情報に基づいて、その機器グループに含まれる空調機器の運用情報を取得する運用情報取得部と、
前記運用情報取得部により取得された前記機器グループ毎の運用情報に基づいて、前記複数の管理装置のうちから、前記機器グループ毎の運用情報を格納する管理装置を決定する配置決定部と、
前記運用情報取得部により取得された前記機器グループ毎の運用情報を、前記配置決定部により決定された管理装置に送信する運用情報送信部と、を備える、
情報管理システム。
【請求項２】
前記配置決定部は、前記運用情報取得部により取得された前記機器グループ毎の運用情報を、予め定められた条件でソートすることにより、前記機器グループ毎の運用情報のランクを決定し、決定されたランク順に、前記複数の管理装置のうちから、前記機器グループ毎の運用情報を格納する管理装置を決定する、
請求項１に記載の情報管理システム。
【請求項３】
前記配置決定部は、前記運用情報取得部により取得された前記機器グループ毎の運用情報を、前記機器グループ毎に予め設定されたグループ番号の順にソートする、
請求項１又は２に記載の情報管理システム。
【請求項４】
前記情報管理装置は、前記複数の管理装置に通信可能に接続された機器グループ毎に、その機器グループに含まれる空調機器の数を表すグループ構成情報を記憶するグループ構成情報記憶部をさらに備え、
前記配置決定部は、前記運用情報取得部により取得された前記機器グループ毎の運用情報を、前記グループ構成情報が表す、前記機器グループに含まれる空調機器の数の順にソートする、
請求項１又は２に記載の情報管理システム。
【請求項５】
前記運転情報受信部は、前記複数の管理装置から、前記機器グループ毎に、前記機器グループに含まれる空調機器の予め定められた期間における運転時間を表す運転情報を受信し、
前記配置決定部は、前記運用情報取得部により取得された前記機器グループ毎の運用情報を、前記運転情報取得部により取得された運転情報が表す、前記機器グループに含まれる空調機器の予め定められた期間における運転時間の順にソートする、
請求項１又は２に記載の情報管理システム。
【請求項６】
前記配置決定部は、決定されたランク順に、前記複数の管理装置のうちから、前記機器グループ毎の運用情報を格納する複数の管理装置を決定する、
請求項１から５のいずれか１項に記載の情報管理システム。
【請求項７】
複数の管理装置と通信可能に接続された情報管理装置であって、
前記複数の管理装置から、その管理装置に通信可能に接続された、１または複数の空調機器を含む機器グループ毎の、その機器グループに含まれる空調機器の運転情報を受信する運転情報受信部と、
前記機器グループ毎に、前記運転情報受信部により受信された運転情報に基づいて、その機器グループに含まれる空調機器の運用情報を取得する運用情報取得部と、
前記運用情報取得部により取得された前記機器グループ毎の運用情報に基づいて、前記複数の管理装置のうちから、前記機器グループ毎の運用情報を格納する管理装置を決定する配置決定部と、
前記運用情報取得部により取得された前記機器グループ毎の運用情報を、前記配置決定部により決定された管理装置に送信する運用情報送信部と、
を備える情報管理装置。
【請求項８】
複数の管理装置と通信可能に接続された情報管理装置が実行する情報管理方法であって、
前記複数の管理装置から、その管理装置に通信可能に接続された、１または複数の空調機器を含む機器グループ毎の、その機器グループに含まれる空調機器の運転情報を受信するステップと、
前記機器グループ毎に、受信された前記運転情報に基づいて、その機器グループに含まれる空調機器の運用情報を取得するステップと、
取得された前記機器グループ毎の運用情報に基づいて、前記複数の管理装置のうちから、前記機器グループ毎の運用情報を格納する管理装置を決定するステップと、
取得された前記機器グループ毎の運用情報を、決定された前記管理装置に送信するステップと、
を有する情報管理方法。
【請求項９】
複数の管理装置と通信可能に接続された情報管理装置に、
前記複数の管理装置から、その管理装置に通信可能に接続された、１または複数の空調機器を含む機器グループ毎の、その機器グループに含まれる空調機器の運転情報を受信するステップと、
前記機器グループ毎に、受信された前記運転情報に基づいて、その機器グループに含まれる空調機器の運用情報を取得するステップと、
取得された前記機器グループ毎の運用情報に基づいて、前記複数の管理装置のうちから、前記機器グループ毎の運用情報を格納する管理装置を決定するステップと、
取得された前記機器グループ毎の運用情報を、決定された前記管理装置に送信するステップと、
を実行させるためのプログラム。
【発明の詳細な説明】
【技術分野】
【０００１】
本発明は、空調機器の運用情報を管理する情報管理システム、情報管理装置、情報管理方法、及びプログラムに関する。
【背景技術】
【０００２】
複数の空調機器から構成されるグループ毎に空調機器を制御する技術において、空調機器が使用した電力の料金をグループ毎に計算する方法が、特許文献１に開示されている。具体的には、特許文献１では、グループ毎に設けられた複数の仲介処理装置が、そのグループに属する空調機器の運転時間を記憶する。そして、料金集計機が、その複数の仲介処理装置から運転時間を収集し、グループ毎に料金を集計する。
【先行技術文献】
【特許文献】
【０００３】
【特許文献１】特開平９−６０９４６号公報
【発明の概要】
【発明が解決しようとする課題】
【０００４】
近年、省エネルギー意識の高まりから、空調機器等の電気機器の運転時間や使用電力量、使用料金といった、電力の運用情報の管理が重要である。しかし、個別分散化による空調機器の管理台数の増加、空調機器を管理するためのアプリケーションによるデータ収集間隔の縮小、データ保持期間の長期化により、保管すべきデータ量が増大している。しかし、特許文献１において、集計された料金情報が、料金集計機にて長期間一極集中して保管される場合、仮に料金集計機に障害が発生した場合は、その料金情報が失われる可能性が高く、信頼性の問題がある。また、バックアップ用に別途、データを管理するシステムを設けるとなると、コストがかかり、システム小型化の観点からも望ましくない。【０００５】
本発明は、上記実情に鑑みてなされたものであり、空調機器の運用情報の管理における信頼性を高めることが可能な情報管理システム、情報管理装置、情報管理方法、及びプログラムを提供することを目的とする。
【課題を解決するための手段】
【０００６】
上記目的を達成するために、本発明に係る情報管理システムは、情報管理装置と、該情報管理装置と通信可能に接続された複数の管理装置と、を有する情報管理システムであって、
前記複数の管理装置は、
自装置に通信可能に接続された、１または複数の空調機器を含む機器グループ毎に、その機器グループに含まれる空調機器の運転情報を取得する運転情報取得部と、
前記運転情報取得部により取得された、前記機器グループ毎の運転情報を前記情報管理装置に送信する運転情報送信部と、
前記情報管理装置から送信された、前記機器グループ毎の運用情報を受信する運用情報受信部と、
前記運用情報受信部により受信された前記機器グループ毎の運用情報を記憶する記憶部と、を備え、
前記情報管理装置は、
前記複数の管理装置から、前記機器グループ毎の運転情報を受信する運転情報受信部と、
前記機器グループ毎に、前記運転情報受信部により受信された運転情報に基づいて、その機器グループに含まれる空調機器の運用情報を取得する運用情報取得部と、
前記運用情報取得部により取得された前記機器グループ毎の運用情報に基づいて、前記複数の管理装置のうちから、前記機器グループ毎の運用情報を格納する管理装置を決定する配置決定部と、
前記運用情報取得部により取得された前記機器グループ毎の運用情報を、前記配置決定部により決定された管理装置に送信する運用情報送信部と、を備える、
ことを特徴とする。
【発明の効果】
【０００７】
本発明によれば、空調機器の運用情報の管理における信頼性を高めることができる。
【図面の簡単な説明】
【０００８】
【図１】実施形態１に係る情報管理システムの構成例を示す概略ブロック図である。
【図２】図１に示す情報管理システムの部分概略ブロック図である。
【図３】実施形態１に係る管理装置の構成例を示す概略ブロック図である。
【図４Ａ】グループ構成情報に含まれるデータの一例を示す図である。
【図４Ｂ】グループ構成情報に含まれるデータの一例を示す図である。
【図４Ｃ】グループ構成情報に含まれるデータの一例を示す図である。
【図５Ａ】グループ運転情報に含まれるデータの一例を示す図である。
【図５Ｂ】グループ運転情報に含まれるデータの一例を示す図である
【図５Ｃ】グループ運転情報に含まれるデータの一例を示す図である。
【図６Ａ】グループ運用情報に含まれるデータの一例を示す図である。
【図６Ｂ】グループ運用情報に含まれるデータの一例を示す図である。
【図６Ｃ】グループ運用情報に含まれるデータの一例を示す図である。
【図７】実施形態１に係る情報管理装置の構成例を示す概略ブロック図である。
【図８】グループ構成情報に含まれるデータの一例を示す図である。
【図９】グループ運用情報に含まれるデータの一例を示す図である。
【図１０】グループ配置情報に含まれるデータの一例を示す図である。
【図１１】実施形態１に係る情報管理装置の制御部の機構構成の一例を示すブロック図である。
【図１２】実施形態１に係るグループ運用情報取得処理のフローチャートの一例である。
【図１３】実施形態１に係る配置決定処理のフローチャートの一例である。
【図１４】実施形態２に係る配置決定処理のフローチャートの一例である。
【図１５】実施形態２に係る配置決定処理において決定されたランクと、グループ番号との関係を示す図である。
【図１６】グループ配置情報に含まれるデータの一例を示す図である。
【図１７】実施形態３に係る配置決定処理のフローチャートの一例である。
【図１８】実施形態３に係る配置決定処理において決定されたランクと、グループ番号との関係を示す図である。
【図１９】グループ配置情報に含まれるデータの一例を示す図である。
【発明を実施するための形態】
【０００９】
本発明の実施の形態について、図面を参照して詳細に説明する。
【００１０】
（実施形態１）
図１は、本発明の実施形態１に係る情報管理システム１の構成例を示す概略ブロック図である。また、図２は、図１に示す情報管理システム１の部分概略ブロック図である。情報管理システム１は、複数の空調機器４００の運用情報を、空調機器４００のグループ毎に管理するシステムである。図１及び図２に示すように、情報管理システム１は、複数の空調機器３００から構成される機器グループ３００Ａ〜３００Ｃをそれぞれ管理する管理装置１００Ａ〜１００Ｃと、管理装置１００Ａ〜１００Ｃを管理する情報管理装置２００と、を備える。管理装置１００Ａ〜１００Ｃと、情報管理装置２００とは、通信線Ｌを介して、互いに通信可能に接続されている。
【００１１】
管理装置１００Ａ〜１００Ｃは、それぞれ、１または複数の機器グループ３００Ａ〜３００Ｃに通信可能に接続されている。なお、以下の説明において、管理装置１００Ａ〜１００Ｃ及び機器グループ３００Ａ〜３００Ｃは、それぞれ総称して、管理装置１００、機器グループ３００と呼ぶ。
【００１２】
図２は、機器グループ３００の構成を示す概略ブロック図である。図２に示すように、機器グループ３００は、複数の空調機器４００から構成される。機器グループ３００に属する複数の空調機器４００は、リモートコントローラや、管理装置１００により、一斉に制御される。各空調機器４００の運転情報、例えば、各空調機器の運転時間を表す情報は、その空調機器４００に接続された管理装置１００に、機器グループ３００毎に保管されている。
【００１３】
情報管理装置２００は、複数の管理装置１００が、機器グループ３００毎に取得した運転情報を取得し、機器グループ３００毎の運用情報、例えば、電力の使用料金を算出する。そして、情報管理装置２００は、算出した使用料金を表す情報を配置する管理装置１００を決定し、決定した管理装置１００に、使用料金を表す情報を出力する。
【００１４】
次に、本実施形態における管理装置１００及び情報管理装置２００の構成について詳細に説明する。
【００１５】
図３に本実施形態に係る管理装置１００のハードウェア構成の一例を示す。図３に示すように、管理装置１００は、制御部１１０と、記憶部１２０と、通信部１３０と、を備え、各部はバス１４０により接続されている。
【００１６】
制御部１１０は、例えば、ＣＰＵ（Central Processing Unit）、ＣＰＵが実行するプログラムを格納するＲＯＭ（Read Only Memory）、ＣＰＵが生成したデータを一時的に格納するＲＡＭ（Random Access Memory）、現在時刻を計時するタイマから構成され、管理装置１００の全体の制御を行う。
【００１７】
記憶部１２０は、ハードディスクドライブや、フラッシュメモリ、ＳＳＤ（Solid State Drive）のような、書き込み可能な記憶装置から構成される。記憶部１２０は、グループ構成情報１２１と、グループ運転情報１２２と、グループ運用情報１２３と、を記憶する。
【００１８】
グループ構成情報１２１は、自装置である管理装置１００に接続された機器グループ３００と、その機器グループ３００に属する空調機器４００と、を表す情報である。
【００１９】
図４Ａ〜４Ｃに、管理装置１００Ａ〜１００Ｃの記憶部１２０にそれぞれ記録されたグループ構成情報１２１に含まれるデータの一例を示す。図４Ａ〜４Ｃに示すグループ構成情報１２１は、管理装置１００Ａ〜１００Ｃそれぞれに接続された機器グループ３００のグループ番号と、その機器グループ３００に属する空調機器４００の空調機器アドレスと、を含む。グループ番号は、各機器グループ３００を一意に識別するための情報であって、各機器グループ３００毎に割り当てられた番号である。空調機器アドレスは、各空調機器４００を一意に識別するための情報であって、管理装置１００が、各空調機器４００との通信を行う際に用いられる通信アドレスである。
【００２０】
グループ構成情報１２１は、例えば、図示しない入力装置を介して、ユーザにより入力され、記憶部１２０に格納される。または、各空調機器４００の空調機器アドレスをグループ番号と関連付けて設定することにより、管理装置１００は、各空調機器４００と通信することにより、その空調機器アドレスから、自動的にグループ構成情報１２１を生成し、記憶部１２０に格納してもよい。例えば、空調機器アドレスが複数の桁の数字で表される場合、空調機器アドレスの特定の桁の数字がグループ番号を表す数字に設定されることで、実現できる。
【００２１】
グループ運転情報１２２は、自身である管理装置１００に接続された機器グループ３００と、その機器グループ３００に属する空調機器４００の運転情報を表す。ここで、運転情報は、空調機器４００の運転に関する情報を表し、例えば、空調機器４００の運転時間を表す。
【００２２】
図５Ａ〜５Ｃに、管理装置１００Ａ〜１００Ｃの記憶部１２０にそれぞれ記録されたグループ運転情報１２２に含まれるデータの一例を示す。図５Ａ〜５Ｃに示すグループ運転情報１２２は、管理装置１００Ａ〜１００Ｃそれぞれに接続された機器グループ３００のグループ番号と、その機器グループ３００に属する空調機器４００の運転時間と、を含む。運転時間は、機器グループ３００に属する空調機器４００が、所定の期間において、運転した時間の累計を表す。ここで、所定の期間とは、例えば、ある月の１日から末日までの期間である。本実施形態では、グループ運転情報１２２には、過去直近の月の１日から末日までの期間における、機器グループ３００に属する空調機器４００の運転時間が格納されているものとする。
【００２３】
グループ運転情報１２２は、例えば、管理装置１００が、自装置である管理装置１００に接続された機器グループ３００毎に、その機器グループ３００に属する空調機器４００の動作を監視することにより、取得される。
【００２４】
グループ運用情報１２３は、機器グループ３００と、その機器グループ３００に属する空調機器４００の運用情報を表す。ここで、運用情報は、空調機器４００の運転情報に基づいて取得される、空調機器４００の運用に関する情報を表し、例えば、所定の期間で空調機器４００が使用した電力の使用料金を表す。
【００２５】
図６Ａ〜６Ｃに、管理装置１００Ａ〜１００Ｃの記憶部１２０に記録されたグループ運用情報１２３に含まれるデータを示す。グループ運用情報１２３は、グループ番号と、そのグループ番号の機器グループ３００に属する空調機器４００が使用した、過去所定の期間における月毎の電力の使用料金と、を含む。
【００２６】
グループ運用情報１２３は、情報管理装置２００から送信され、記憶部１２０に格納される。管理装置１００Ａ〜１００Ｃの記憶部１２０に、どの機器グループ３００のグループ運用情報１２３が格納されるかについては、情報管理装置２００が実行する、後述する配置決定処理において決定される。
【００２７】
図３に戻って、通信部１３０は、通信線Ｌを介して機器グループ３００に属する空調機器４００、及び、情報管理装置２００との間でデータの送受信を行うためのインターフェースから構成される。
【００２８】
図７に、本実施形態に係る情報管理装置２００のハードウェア構成の一例を示す。図７に示すように、情報管理装置２００は、制御部２１０と、記憶部２２０と、通信部２３０と、を備え、各部はバス２４０により接続されている。
【００２９】
制御部２１０は、例えば、ＣＰＵ、ＣＰＵが実行するプログラムを格納するＲＯＭ、ＣＰＵが生成したデータを一時的に格納するＲＡＭ、現在時刻を計時するタイマから構成され、情報管理装置２００の全体の制御を行う。
【００３０】
記憶部２２０は、ハードディスクドライブや、フラッシュメモリ、ＳＳＤ（Solid State Drive）のような、書き込み可能な記憶装置から構成される。記憶部２２０は、グループ構成情報２２１と、グループ運用情報２２２と、グループ配置情報２２３と、を記憶する。
【００３１】
グループ構成情報２２１は、機器グループ３００毎の、その機器グループ３００に属している空調機器４００を表す。
【００３２】
図８に、情報管理装置２００の記憶部２２０に記録されたグループ構成情報２２１に含まれるデータの一例を示す。図８に示すグループ構成情報２２１は、管理装置１００の管理装置アドレスと、その管理装置アドレスを有する管理装置１００に接続された機器グループ３００のグループ番号と、その機器グループ３００に属する空調機器４００の空調機器アドレスと、を含む。管理装置アドレスは、各管理装置１００を一意に識別するための情報であって、情報管理装置２００が、各管理装置１００との通信を行う際に用いられる通信アドレスである。具体的には、図８に示す管理装置アドレス「ＡＤＤ＿１」〜「ＡＤＤ＿３」は、それぞれ管理装置１００Ａ〜１００Ｃの管理装置アドレスである。情報管理装置２００は、各管理装置１００から、その管理装置１００が記憶しているグループ構成情報１２１を取得し、その管理装置１００の管理装置アドレスと対応付けて、記憶部２２０に格納する。
【００３３】
グループ運用情報２２２は、各機器グループ３００に属する空調機器４００の運用情報を表す。
【００３４】
図９に、情報管理装置２００の記憶部２２０に記録されたグループ運用情報２２２に含まれるデータの一例を示す。図９に示すグループ運用情報２２２は、機器グループ３００のグループ番号と、そのグループ番号を有する機器グループ３００に属する空調機器４００の運用情報と、を含む。グループ運用情報２２２は、後述するグループ運用情報取得処理により生成され、記憶部２２０に格納される。なお、本実施形態において、情報管理装置２００の記憶部２２０に格納されるグループ運用情報２２２は、後述する配置決定部２１４により、各管理装置１００に送信された後、削除される。
【００３５】
グループ配置情報２２３は、機器グループ３００毎のグループ運用情報２２２を格納する管理装置１００を表す。
【００３６】
図１０に、情報管理装置２００の記憶部２２０に記録されたグループ配置情報２２３に含まれるデータの一例を示す。図１０に示すグループ配置情報２２３は、機器グループ３００のグループ番号と、そのグループ番号を有する機器グループ３００のグループ運用情報２２２が格納される管理装置１００の管理装置アドレスと、を含む。グループ配置情報２２３は、後述する配置決定処理により生成され、記憶部２２０に格納される。
【００３７】
通信部２３０は、通信線Ｌを介して管理装置１００との間でデータの送受信を行うためのインターフェースから構成される。
【００３８】
次に、情報管理装置２００の制御部２１０の機能について説明する。図１１は、制御部２１０の機能構成の一例を示すブロック図である。図１１に示すように、制御部２１０はグループ構成情報取得部２１１、グループ運転情報取得部２１２、グループ運用情報取得部２１３、配置決定部２１４、として機能する。
【００３９】
グループ構成情報取得部２１１は、各管理装置１００から、通信部２３０を介して、各管理装置１００が記憶しているグループ構成情報１２１を取得する。そして、グループ構成情報取得部２１１は、取得したグループ構成情報１２１を、送信元である管理装置１００の管理装置アドレスと対応付けて、グループ構成情報２２１に格納する。
【００４０】
グループ運転情報取得部２１２は、各管理装置１００から、通信部２３０を介して、各管理装置１００が記憶していうるグループ運転情報１２２を取得する。
【００４１】
グループ運用情報取得部２１３は、グループ運転情報取得部２１２により取得されたグループ運転情報１２２に基づいて、機器グループ３００毎のグループ運用情報２２２を取得する。
【００４２】
ここで、グループ運用情報取得部２１３によるグループ運用情報２２２の取得方法の一例について説明する。この例では、グループ運用情報取得部２１３は、グループ運用情報２２２として、各機器グループ３００毎の電力の月別使用料金を取得する。具体的には、ある月の使用料金Ａ［円］は、その月の運転時間をＢ［hr］、電力量料金の時間単価をＣ［円／hr］を用いて、次の式のように表される。
Ａ＝Ｂ×Ｃ・・・（１）
従って、グループ運用情報取得部２１３は、機器グループ３００毎に、グループ運転情報１２２に含まれる運転時間と、予め設定された電力量料金の時間単価と、式（１）を用いて、月別使用料金を算出する。
【００４３】
配置決定部２１４は、グループ運用情報取得部２１３により取得されたグループ運用情報２２２について、機器グループ３００毎に、その機器グループ３００のグループ運用情報２２２を格納する管理装置１００を決定する。そして、配置決定部２１３は、機器グループ３００のグループ番号と、その機器グループのグループ運用情報２２２を格納すると決定した管理装置１００の管理装置アドレスと、を対応付けてグループ配置情報２２３に格納する。そして、配置決定部２１４は、機器グループ３００毎に、その機器グループ３００のグループ運用情報２２２を、決定した管理装置１００に送信し、記憶させる。
【００４４】
ここで、配置決定部２１４によるグループ運用情報２２２を配置する管理装置１００の決定方法の一例について説明する。本実施形態において、配置決定部２１４は、グループ番号順に、そのグループ番号を有する機器グループ３００のグループ運用情報２２２を、管理装置１００に割り当てる。具体的には、まず、配置決定部２１４は、グループ番号１〜３を有する機器グループ３００のグループ運用情報２２２を、管理装置１００Ａ〜１００Ｃに順にそれぞれ割り当てる。次に、配置決定部２１４は、グループ番号４〜６を有する機器グループ３００のグループ運用情報２２２を、管理装置１００Ａ〜１００Ｃに順にそれぞれ割り当てる。さらに、配置決定部２１４は、グループ番号７及び８を有する機器グループ３００のグループ運用情報２２２を、管理装置１００Ａ，１００Ｂに順に割り当てる。以上のように、配置決定部２１４が、グループ運用情報２２２を配置する管理装置１００を決定した場合、図９に示すグループ配置情報２２３が生成される。
【００４５】
次に、本実施形態に係る情報管理装置２００の動作について説明する。
【００４６】
まず、情報管理装置２００の制御部２１０が実行するグループ運用情報取得処理について説明する。グループ運用情報取得処理は、例えば制御部２１０のＣＰＵがＲＯＭに記憶されたプログラムを読み込むことにより実行される。
【００４７】
図１２は、情報管理装置２００の制御部２１０が実行するグループ運用情報取得処理のフローチャートの一例である。グループ運用情報取得処理は、例えば、現在日時が所定の日時（例えば、毎月１日）になったことを契機として、開始する。
【００４８】
まず、グループ構成情報取得部２１１は、各管理装置１００から、各管理装置１００に記録されているグループ構成情報１２１を、通信部２３０を介して取得する（ステップＳ１０１）。グループ構成情報取得部２１１は、取得したグループ構成情報１２１を、管理装置アドレスと対応付け、グループ構成情報２２１として記憶部２２０に格納する。
【００４９】
次に、グループ運転情報取得部２１２は、各管理装置１００から、各管理装置１００に記録されているグループ運転情報１２２を、通信部２３０を介して取得する（ステップＳ１０２）。
【００５０】
次に、グループ運用情報取得部２１３は、ステップＳ１０１において記憶部２２０の格納されたグループ構成情報２２１に基づいて、全機器グループ数Ｎを特定する（ステップＳ１０３）。例えば、グループ運用情報取得部２１３は、図８に示すグループ構成情報２２１に基づいて、全機器グループ数Ｎ＝８を特定する。
【００５１】
次に、グループ運用情報取得部２１３は、カウンタｎを初期値「１」に設定する（ステップＳ１０４）。
【００５２】
次に、グループ運用情報取得部２１３は、ステップＳ１０２において取得されたグループ運転情報１２２のうち、グループ番号ｎに対応するグループ運転情報１２２に基づいて、グループ運用情報２２２を取得する（ステップＳ１０５）。グループ運用情報取得部２１３は、取得したグループ運用情報２２２を、グループ番号ｎと対応付けて記憶部２２０に格納する。
【００５３】
次に、グループ運用情報取得部２１３は、カウンタｎをインクリメントし（ステップＳ１０６）、カウンタｎが全機器グループ数Ｎよりも大きいか否かを判定する（ステップＳ１０７）。
【００５４】
カウンタｎが全機器グループ数Ｎよりも大きくないと判定した場合（ステップＳ１０７；Ｎｏ）、グループ運用情報取得部２１３は、ステップＳ１０５〜Ｓ１０７の処理を繰り返す。また、カウンタｎが全機器グループ数Ｎよりも大きいと判定した場合（ステップＳ１０７；Ｙｅｓ）、グループ運用情報取得処理は終了する。
【００５５】
以上のグループ運用情報取得処理により、記憶部２２０には、図９に示すように、機器グループ３００毎の過去直近の月のグループ運用情報２２２が格納される。
【００５６】
次に、情報管理装置２００の制御部２１０が実行する配置決定処理について説明する。配置決定処理は、例えば制御部２１０のＣＰＵがＲＯＭに記憶されたプログラムを読み込むことにより実行される。
【００５７】
図１３は、情報管理装置２００の制御部２１０が実行する配置決定処理のフローチャートの一例である。配置決定処理は、例えば、グループ構成情報２２１に変更があったことを契機として、開始する。すなわち、グループ構成情報２２１に変更が無い限り、配置決定処理により生成されたグループ配置情報２２３は変化しない。従って、配置決定処理により１度グループ配置情報２２３が生成されれば、配置決定部２１４は、グループ構成情報２２１に変更が無い限り、その生成されたグループ配置情報２２３を参照して、グループ運用情報２２２を管理装置１００に送信することができる。
【００５８】
まず、配置決定部２１４は、グループ構成情報２２１から、全機器グループ数Ｎを特定する（ステップＳ２０１）。例えば、グループ運用情報取得部２１３は、図８に示すグループ構成情報２２１に基づいて、全機器グループ数Ｎ＝８を特定する。
【００５９】
次に、配置決定部２１４は、グループ構成情報２２１から、全管理装置数Ｍを特定する（ステップＳ２０２）。例えば、グループ運用情報取得部２１３は、図８に示すグループ構成情報２２１に基づいて、全管理装置数Ｍ＝３を特定する。
【００６０】
次に、配置決定部２１４は、カウンタｎ及びｍを初期値「１」に設定する（ステップＳ２０３）。
【００６１】
次に、配置決定部２１４は、記憶部２２０に格納されたグループ運用情報２２２のうち、グループ番号ｎに対応するグループ運用情報２２２を、管理装置アドレスＡＤＤ＿ｍに対応する管理装置１００に配置することを決定する（ステップＳ２０４）。そして、配置決定部２１４は、グループ配置情報２２３に、グループ番号ｎと、管理装置アドレスＡＤＤ＿ｍと、を対応付けて格納する。
【００６２】
次に、配置決定部２１４は、カウンタｎ及びｍをインクリメントし（ステップＳ２０５）、カウンタｎが全機器グループ数Ｎよりも大きいか否かを判定する（ステップＳ２０６）。
【００６３】
カウンタｎが全機器グループ数Ｎよりも大きくないと判定した場合（ステップＳ２０６；Ｎｏ）、カウンタｍが全管理装置数Ｍよりも大きいか否かを判定する（ステップＳ２０７）。
【００６４】
カウンタｍが全管理装置数Ｍよりも大きくないと判定した場合（ステップＳ２０７；Ｎｏ）、配置決定部２１４は、ステップＳ２０４に戻ってその後の処理を繰り返す。
【００６５】
また、カウンタｍが全管理装置数Ｍよりも大きいと判定した場合（ステップＳ２０７；Ｙｅｓ）、配置決定部２１４は、カウンタｍを初期値「１」に設定する（ステップＳ２０８）。そして、配置決定部２１４は、ステップＳ２０４に戻ってその後の処理を繰り返す。
【００６６】
カウンタｎが全機器グループ数Ｎよりも大きいと判定した場合（ステップＳ２０６；Ｙｅｓ）、配置決定処理は終了する。
【００６７】
以上の配置決定処理により、グループ番号の順に、そのグループ番号に対応するグループ運用情報２２２を配置する管理装置１００が決定される。そして、グループ配置情報２２３には、機器グループ３００のグループ番号毎に、その機器グループ３００のグループ運用情報２２２を配置すると決定された管理装置１００の管理装置アドレスが格納される。そして、配置決定部２１４は、各機器グループ３００のグループ運用情報２２２を、グループ配置情報２２３を参照して、その機器グループ３００のグループ番号に対応する管理装置アドレスを有する管理装置１００に送信する。管理装置１００は、情報管理装置２００から受信したグループ運用情報２２２を、グループ運用情報１２３として、記憶部１２０に格納する。
【００６８】
以上説明したように、本実施形態の情報管理装置２００は、各機器グループ３００のグループ運用情報２２２を、各管理装置１００に分散して配置させる。従って、情報管理装置２００に膨大な量のデータを集中させることがなく、情報管理システム１の信頼性を高めることができる。また、膨大な量のデータを保持するための別途のシステムを必要とせず、既存の空調システムを用いて実現することができるため、低コストである。
【００６９】
（実施形態２）
次に、本発明の実施形態２に係る情報管理装置２００について説明する。本実施形態では、実施形態１において説明した配置決定方法とは別の方法として、機器グループ３００に含まれる空調機器４００の数の降順に、各機器グループ３００のグループ運用情報２２２を配置する管理装置１００を決定する例について説明する。なお、実施形態１と同様の構成については、同様の符号を用い、その詳細な説明を省略する。
【００７０】
図１４は、情報管理装置２００の制御部２１０が実行する配置決定処理のフローチャートの一例である。配置決定処理は、例えば、グループ構成情報２２１に変更があったことを契機として、開始する。
【００７１】
まず、配置決定部２１４は、図１３に示す実施形態１における配置決定処理のステップＳ１０１及びＳ１０２と同様に、グループ構成情報２２１から、全機器グループ数Ｎ及び全管理装置数Ｍを特定する（ステップＳ３０１〜Ｓ３０２）。
【００７２】
次に、配置決定部２１４は、グループ構成情報２２１から、機器グループ３００毎に、機器グループ３００に含まれる全空調機器数を特定し、全空調機器数の降順に機器グループ３００をソートし、ランクを決定する（ステップＳ３０３）。
【００７３】
図１５に、ステップＳ３０３で決定されたランクと、グループ番号との関係を示す。図１５に示すように、機器グループ３００に含まれる全空調機器数の降順に、機器グループ３００のグループ番号が、ランクと対応付けられている。なお、図１５において、含まれる全空調機器数が同じ機器グループ３００が複数あった場合、その複数の機器グループ３００のグループ番号が小さい順に、ランクと対応付けられている。
【００７４】
次に、配置決定部２１４は、カウンタｎ及びｍを初期値「１」に設定する（ステップＳ３０４）。
【００７５】
次に、配置決定部２１４は、記憶部２２０に格納されたグループ運用情報２２２のうち、ランクｎであるグループ番号に対応するグループ運用情報２２２を、管理装置アドレスＡＤＤ＿ｍに対応する管理装置１００に配置することを決定する（ステップＳ３０５）。そして、配置決定部２１４は、グループ配置情報２２３に、ランクｎであるグループ番号と、管理装置アドレスＡＤＤ＿ｍと、を対応付けて格納する。
【００７６】
次に、配置決定部２１４は、図１３に示す実施形態１における配置決定処理のステップＳ２０５〜Ｓ２０８と同様に、ステップＳ３０６〜Ｓ３０９の処理を実行する。
【００７７】
以上の配置決定処理により、機器グループ３００に含まれる空調機器４００の数の降順に、機器グループ４００のグループ運用情報２２２を配置する管理装置１００が決定される。具体的には、配置決定部２１４が、図８に示すグループ構成情報２２１に基づいて、グループ運用情報２２２を配置する管理装置１００を決定した場合、図１６に示すグループ配置情報２２３が生成される。そして、配置決定部２１４は、各機器グループ３００のグループ運用情報２２２を、グループ配置情報２２３を参照して、その機器グループ３００のグループ番号に対応する管理装置アドレスを有する管理装置１００に送信する。
【００７８】
以上説明したように、本実施形態に係る情報管理装置２００は、機器グループ３００に含まれる空調機器４００の数の降順に、機器グループ３００のグループ運用情報２２２を配置する管理装置１００を決定する。機器グループ３００に含まれる空調機器４００の数が多いほど、機器グループ３００全体としての、電力使用量が大きくなる。そして、電力使用量が大きい程、その電力使用量のデータが失われた場合の損害も大きい。そのようなデータが大きいグループ運用情報２２２を複数の管理装置１００に分散して配置することにより、情報管理システム１の信頼性を高めことができる。
【００７９】
なお、上記の説明では、機器グループ３００に含まれる空調機器４００の数の降順に、ランクを付けたが、昇順でもよい。この場合も、上記説明した場合と同様に、データが大きいグループ運用情報２２２を複数の管理装置１００に分散して配置することにより、情報管理システム１の信頼性を高めことができる。
【００８０】
（実施形態３）
次に、本発明の実施形態３に係る情報管理装置２００について説明する。本実施形態では、実施形態１及び２で説明した配置決定方法とは別の方法として、機器グループ３００を構成する空調機器４００の運転時間が長い順に、各機器グループ３００のグループ運用情報２２２を配置する管理装置１００を決定する例について説明する。なお、実施形態１及び２と同様の構成については、同様の符号を用い、その詳細な説明を省略する。
【００８１】
図１７は、情報管理装置２００の制御部２１０が実行する配置決定取得処理のフローチャートの一例である。配置決定処理は、例えば、現在日時が所定の日時（例えば、毎月１日）になったことを契機として、開始する。
【００８２】
まず、配置決定部２１４は、図１４に示す実施形態２における配置決定処理のステップＳ２０１及びＳ２０２と同様に、グループ構成情報２２１から、全機器グループ数Ｎ及び全管理装置数Ｍを特定する（ステップＳ４０１〜Ｓ４０２）。
【００８３】
次に、配置決定部２１４は、グループ運転情報１２２から、機器グループ３００毎に、機器グループ３００に含まれる空調機器４００の運転時間の降順に機器グループ３００をソートし、ランクを決定する（ステップＳ４０３）。
【００８４】
図１８に、ステップＳ４０３で決定されたランクと、グループ番号との関係を示す。図１８に示すように、機器グループ３００に含まれる空調機器４００の運転時間の降順に、機器グループ３００のグループ番号が、ランクと対応付けられている。
【００８５】
次に、配置決定部２１４は、図１４に示す実施形態２における配置決定処理のステップＳ３０４〜Ｓ３０９と同様に、ステップＳ４０４〜Ｓ４０９の処理を実行する。
【００８６】
以上の配置決定処理により、機器グループ３００を構成する空調機器４００の数の降順に、機器グループ３００のグループ運用情報２２２を配置する管理装置１００が決定される。具体的には、配置決定部２１４が、図５Ａ〜５Ｃに示すグループ運転情報１２２に基づいて、グループ運用情報を配置する管理装置１００を決定した場合、図１９に示すグループ配置情報２２３が生成される。そして、配置決定部２１４は、各機器グループ３００のグループ運用情報２２２を、グループ配置情報２２３を参照して、その機器グループ３００のグループ番号に対応する管理装置アドレスを有する管理装置１００に送信する。
【００８７】
以上説明したように、本実施形態に係る情報管理装置２００は、機器グループ３００に含まれる空調機器４００の運転時間の降順に、機器グループ３００のグループ運用情報２２２を配置する管理装置１００を決定する。機器グループ３００に含まれる空調機器４００の運転時間が長いほど、機器グループ３００全体としての、電力使用量が大きくなる。そして、電力使用量が大きい程、その電力使用量のデータが失われた場合の損害も大きい。そのようなデータが大きいグループ運用情報２２２を複数の管理装置１００に分散して配置することにより、情報管理システム１の信頼性を高めことができる。
【００８８】
なお、上記の説明では、機器グループ３００に含まれる空調機器４００の運転時間の降順に、ランクを付けたが、昇順でもよい。この場合も、上記説明した場合と同様に、データが大きいグループ運用情報２２２を複数の管理装置１００に分散して配置することにより、情報管理システム１の信頼性を高めことができる。
【００８９】
（実施形態４）
次に、本発明の実施形態４に係る情報管理装置２００について説明する。上記実施形態１乃至３では、機器グループ３００のグループ運用情報２２２を配置する管理装置１００を１つ決定する。しかし、機器グループ３００のグループ運用情報２２２を配置する管理装置１００は、１つに限られず、各機器グループ３００のグループ運用情報２２２が、複数の管理装置１００に配置されてもよい。
【００９０】
例えば、実施形態１において、配置決定部２１４は、図１３の配置決定処理のステップＳ２０４において、グループ番号ｎのグループ運用情報２２２を、管理装置アドレスＡＤＤ＿ｍを有する管理装置１００に配置することを決定する。しかし、配置決定部２１４は、グループ番号ｎのグループ運用情報２２２を、２つの管理装置１００、すなわち、管理装置アドレスＡＤＤ＿ｍを有する管理装置１００と、管理装置アドレスＡＤＤ＿ｍ＋１（ただし、ｍ＝Ｍの場合は、ＡＤＤ＿１）を有する管理装置１００と、に配置することを決定してもよい。また、配置決定部２１４が、グループ番号ｎのグループ運用情報２２２の配置先として決定する管理装置１００の数は２つに限られず、それ以上の数の管理装置１００を決定してもよい。
【００９１】
以上説明したように、各機器グループ３００のグループ運用情報２２２が、複数の管理装置１００に配置されることにより、１つの管理装置１００に障害が発生しても、他の管理装置１００にもバックアップされているため、情報管理システム１の信頼性をさらに高めることができる。
【００９２】
なお、上記実施の形態において、情報管理装置２００が実行するプログラムは、フレキシブルディスク、ＣＤ−ＲＯＭ（Compact Disk Read-Only Memory）、ＤＶＤ（Digital Versatile Disk）、ＭＯ（Magneto-Optical Disk）等のコンピュータ読み取り可能な記録媒体に格納されて配布されてもよい。そして、そのプログラムがパーソナルコンピュータ等の情報処理装置にインストールされることにより、上述の処理を実行する装置が構成されてもよい。
【００９３】
また、プログラムは、インターネット等の通信ネットワーク上の所定のサーバ装置が有するディスク装置等に格納されてもよい。そして、プログラムは、例えば、搬送波に重畳されて、ダウンロードされてもよい。
【００９４】
また、上述の機能を、ＯＳ（Operating System）が分担して実現する場合またはＯＳとアプリケーションとの協働により実現する場合、ＯＳの機能を実現する部分以外のプログラムのみが、記録媒体に格納されて配布されてもよく、また、ダウンロードされてもよい。
【００９５】
本発明は、本発明の広義の精神と範囲に逸脱することなく、様々な実施の形態及び変形が可能とされるものである。また、上述した実施形態は、本発明を説明するためのものであり、本発明の範囲を限定するものではない。つまり、本発明の範囲は、実施の形態ではなく、特許請求の範囲によって示される。そして、特許請求の範囲内及びそれと同等の発明の意義の範囲内で施される様々な変形が、本発明の範囲内とみなされる。
【産業上の利用可能性】
【００９６】
本発明は、空調機器の運用情報を管理する情報管理システムに適する。
【符号の説明】
【００９７】
１  情報管理システム、１００（１００Ａ〜１００Ｃ）  管理装置、１１０  制御部、１２０  記憶部、１２１  グループ構成情報、１２２  グループ運転情報、１２３  グループ運用情報、１３０  通信部、１４０  バス、２００  情報管理装置、２１０  制御部、２１１  グループ構成情報取得部、２１２  グループ運転情報取得部、２１３  グループ運用情報取得部、２１４  配置決定部、２２０  記憶部、２２１  グループ構成情報、２２２  グループ運用情報、２２３  グループ配置情報、２３０  通信部、２４０  バス、３００（３００Ａ〜３００Ｃ）  機器グループ、４００  空調機器
【図１】
0006012869.tif 000002
【図２】
0006012869.tif 000003
【図３】
0006012869.tif 000004
【図４Ａ】
0006012869.tif 000005
【図４Ｂ】
0006012869.tif 000006
【図４Ｃ】
0006012869.tif 000007
【図５Ａ】
0006012869.tif 000008
【図５Ｂ】
0006012869.tif 000009
【図５Ｃ】
0006012869.tif 000010
【図６Ａ】
0006012869.tif 000011
【図６Ｂ】
0006012869.tif 000012
【図６Ｃ】
0006012869.tif 000013
【図７】
0006012869.tif 000014
【図８】
0006012869.tif 000015
【図９】
0006012869.tif 000016
【図１０】
0006012869.tif 000017
【図１１】
0006012869.tif 000018
【図１２】
0006012869.tif 000019
【図１３】
0006012869.tif 000020
【図１４】
0006012869.tif 000021
【図１５】
0006012869.tif 000022
【図１６】
0006012869.tif 000023
【図１７】
0006012869.tif 000024
【図１８】
0006012869.tif 000025
【図１９】
0006012869.tif 000026